(57)【要約】    【課題】材料費、施工費が少なくて済み、かつ作業が容易であり、また、コンクリート充填鋼管柱と高架橋の梁部の接合部の変形性能を増大させることができる鋼管柱接合部エレメントおよびそれを用いた高架橋の梁部の施工法を提供する。    【解決手段】鋼管柱接合部エレメント１１において、アンカー鉄筋１３および梁部の配筋兼一体化用鉄筋１４を有する接合エレメントコンクリート１２にコンクリート充填鋼管柱１５を立設し、エレメント化したものとする。【選択図】図２
2006125011.tif 000002
【特許請求の範囲】
【請求項１】
アンカー鉄筋および梁部の配筋兼一体化用鉄筋を有する接合エレメントコンクリートに第１の鋼管柱を立設し、エレメント化したことを特徴とする鋼管柱接合部エレメント。
【請求項２】
（ａ）アンカー鉄筋および梁部の配筋兼一体化用鉄筋を有する接合エレメントコンクリートに第１の鋼管柱を立設してなる鋼管柱接合部エレメントを前記第１の鋼管柱を下方にして吊り下げて高架橋の基礎部の第２の鋼管柱に継手を用いて設置し、
（ｂ）前記梁部の配筋兼一体化用鉄筋と接合するように前記鋼管柱接合部エレメント間に配筋するとともに型枠を設置し、
（ｃ）前記型枠内にコンクリートを打設し、固化することを特徴とする高架橋の梁部の施工法。
【発明の詳細な説明】
【技術分野】
【０００１】
本発明は、高架橋の梁部に用いる鋼管柱接合部エレメントおよびそれを用いた高架橋の梁部の施工法に関するものである。
【背景技術】
【０００２】
従来、高架橋の基礎部に継手を介して配置される高架橋の梁部の施工に当たっては、高架橋の基礎部内に配置される複数のコンクリート充填鋼管柱に継手を介して複数のコンクリート充填鋼管柱を継ぎ足し、継ぎ足したそれらのコンクリート充填鋼管柱の周囲に型枠を配置して、その型枠内にコンクリートを充填して、高架橋の梁部を構築するようにしていた。
【０００３】
図７はかかる従来のコンクリート充填鋼管柱と高架橋の梁部の接合部構造を示す図である。
【０００４】
この図において、１０１は高架橋の梁部（ＲＣ梁）であり、このような高架橋の梁部１０１は、コンクリート充填鋼管柱１０２、アンカー鉄筋１０３、型枠１０４が配置され、その型枠１０４内に、生コンクリートが流し込まれて、固化されことにより、構築される。なお、図７において、１０６はコンクリートである。
【非特許文献１】鉄道構造物等設計標準・同解説  鋼とコンクリートの複合構造物  丸善株式会社，ｐｐ．５０２
【発明の開示】
【発明が解決しようとする課題】
【０００５】
しかしながら、上記した従来の高架橋の梁部の施工方法では、複数のコンクリート充填鋼管柱１０２へのコンクリート１０６の充填が、現場での生コンクリートの流し込みによって行われるために、充填性が悪く、その結合部分が構造的に弱くなりやすいといった問題があった。
【０００６】
本発明は、上記状況に鑑みて、材料費、施工費が少なくて済み、かつ作業が容易となる、コンクリート充填鋼管柱と梁部に設ける鋼管柱接合部エレメントおよびその接合部の変形性能を増大させることができる高架橋の梁部の施工法を提供することを目的とする。
【課題を解決するための手段】
【０００７】
本発明は、上記目的を達成するために、
〔１〕鋼管柱接合部エレメントであって、アンカー鉄筋および梁部の配筋兼一体化用鉄筋を有する接合エレメントコンクリートに第１の鋼管柱を立設し、エレメント化したことを特徴とする。
【０００８】
〔２〕高架橋の梁部の施工法において、アンカー鉄筋および梁部の配筋兼一体化用鉄筋を有する接合エレメントコンクリートに第１の鋼管柱を立設してなる鋼管柱接合部エレメントをこの第１の鋼管柱を下方にして吊り下げて高架橋の基礎部の第２の鋼管柱に継手を用いて設置し、前記梁部の配筋兼一体化用鉄筋と接合するように前記鋼管柱接合部エレメント間に配筋するとともに型枠を設置し、前記型枠内にコンクリートを打設し、固化することを特徴とする。
【発明の効果】
【０００９】
本発明によれば、次のような効果を奏することができる。
【００１０】
（１）材料費、施工費が少なくて済み、かつ作業が容易であり、また、コンクリート充填鋼管柱と高架橋の梁部との接合部の変形性能を増大させることができる。
【００１１】
（２）コンクリート充填鋼管柱と高架橋の梁部の接合部付近の配筋の煩雑さが解消され、工期が短縮できる。
【００１２】
（３）エレメントコンクリートを用いることにより、コンクリート充填が確実になる。
【発明を実施するための最良の形態】
【００１３】
高架橋の梁部の施工法において、アンカー鉄筋および梁部の配筋兼一体化用鉄筋を有する接合エレメントコンクリートに第１の鋼管柱を立設してなる鋼管柱接合部エレメントをこの第１の鋼管柱を下方にして吊り下げて高架橋の基礎部の第２の鋼管柱に継手を用いて設置し、前記梁部の配筋兼一体化用鉄筋と接合するように前記鋼管柱接合部エレメント間に配筋するとともに型枠を設置し、前記型枠内にコンクリートを打設し、固化する。よって、材料費、施工費が少なくて済み、かつ作業が容易であり、また、コンクリート充填鋼管柱と高架橋の梁部との接合部の変形性能を増大させることができる。
【実施例】
【００１４】
以下、本発明の実施の形態について詳細に説明する。
【００１５】
図１は本発明の実施例を示すコンクリート充填鋼管柱と高架橋の梁部の接合エレメントを示す断面模式図、図２はそのコンクリート充填鋼管柱と高架橋の梁部の鋼管柱接合部エレメントの斜視図である。
【００１６】
鋼管柱接合部エレメント１１は、接合エレメントコンクリート１２、アンカー鉄筋１３、梁部の配筋兼一体化用鉄筋１４、コンクリート充填鋼管柱１５からなり、かかる鋼管柱接合部エレメント１１をあらかじめ作製する。つまり、アンカー鉄筋１３および梁部の配筋兼一体化用鉄筋１４が配置された接合エレメントコンクリート１２にコンクリート充填鋼管柱１５を立設した鋼管柱接合部エレメント１１を作製しておき、この鋼管柱接合部エレメント１１を工事現場に運んで高架橋の梁部の施工に用いるようにする。
【００１７】
図３〜図５は本発明の実施例を示す高架橋の梁部の施工法を示す図であり、図３は鋼管柱接合部エレメントの設置工程図、図４は高架橋の梁部の配筋・型枠の設置工程図であり、図４（ａ）はその全体構成図、図４（ｂ）は図４（ａ）のＡ部の拡大図、図５はその高架橋の梁部のコンクリートの打設工程図、図６はその高架橋の梁部の完成図である。
【００１８】
これらの図に示すように、高架橋の梁部の施工法は以下のようである。
【００１９】
（１）図１及び図２に示したあらかじめ作製された鋼管柱接合部エレメント１１を、図３に示すように、施工現場に設置する。その場合には、鋼管柱接合部エレメント１１をコンクリート充填鋼管柱１５が下方になるようにして、高架橋の基礎部１にあらかじめ位置決めされ、立設されたコンクリート充填鋼管柱５に継手２２を介してクレーン２１で吊り下げ配置する。
【００２０】
（２）次に、図４に示すように、梁部の配筋兼一体化用鉄筋１４に接合するように、鉄筋２３を配筋するとともに、型枠２４を設置する。
【００２１】
（３）次に、図５に示すように、コンクリートミキサー２５から生コンクリートを型枠２４内に流し込んで、固化させて鋼管柱接合部エレメント１１間にコンクリートを打設する。２６は打設コンクリートである。
【００２２】
（４）最後に、図６に示すように、その打設したコンクリート２６を固化させて高架橋の梁部２７の施工を完了する。
【００２３】
本発明によれば、従来方式に比べて、作業が容易であり、また、コンクリート充填鋼管柱と高架橋の梁部の変形性能を増大させることができる。また、材料費、施工費が少なくて済む。
【００２４】
また、コンクリート充填鋼管柱と高架橋の梁部の接合部付近の配筋の煩雑さが解消され、工期が短縮できる。
【００２５】
さらに、エレメントコンクリートを用いることにより、施工時に鋼管柱の位置を決めやすい。
【００２６】
なお、本発明は上記実施例に限定されるものではなく、本発明の趣旨に基づき種々の変形が可能であり、これらを本発明の範囲から排除するものではない。
【産業上の利用可能性】
【００２７】
本発明の高架橋の梁部の施工法は、コンクリート充填鋼管と高架橋の梁部の接合の作業が容易であり、また、コンクリート充填鋼管と梁部の接合部の変形性能を増大させるため、高架橋の梁部の構築に好適である。
【図面の簡単な説明】
【００２８】
【図１】本発明の実施例を示すコンクリート充填鋼管柱と高架橋の梁部の接合エレメントを示す断面模式図である。
【図２】本発明の実施例を示すコンクリート充填鋼管柱と高架橋の梁部エレメントの斜視図である。
【図３】本発明の実施例を示す鋼管柱接合部エレメントの設置工程図である。
【図４】本発明の実施例を示す高架橋の梁部の配筋・型枠の設置工程図である。
【図５】本発明の実施例を示す高架橋の梁部のコンクリートの打設工程図である。
【図６】本発明の実施例を示す高架橋の梁部の完成図である。
【図７】従来のコンクリート充填鋼管柱と高架橋の梁部の接合部構造を示す図である。
【符号の説明】
【００２９】
１    高架橋の基礎部
５    高架橋の基礎部のコンクリート充填鋼管柱
１１    鋼管柱接合部エレメント
１２    接合エレメントコンクリート
１３    アンカー鉄筋
１４    梁部の配筋兼一体化用鉄筋
１５    コンクリート充填鋼管柱
２１    クレーン
２２    継手
２３    鉄筋
２４    型枠
２５    コンクリートミキサー
２６    打設コンクリート
２７    梁部
【図１】
2006125011.tif 000003
【図２】
2006125011.tif 000004
【図３】
2006125011.tif 000005
【図４】
2006125011.tif 000006
【図５】
2006125011.tif 000007
【図６】
2006125011.tif 000008
【図７】
2006125011.tif 000009